(57)【要約】      （修正有）【課題】ハウジングに付勢手段を介して組み付けられたスライダを押圧する係止アームの変形を抑えることのできるコネクタを提供する。【解決手段】コネクタは、イニシエータ１とハウジング２とを備えている。イニシエータ１のシャント４には、係止アーム４１が備えられている。ハウジング２がハウジング本体に備えた端子収容部には、バネ８４を介してスライダ８が組み付けられている。イニシエータ１に対するハウジング２の装着時、係止アーム４１は、ハウジング２に乗り上げた後でスライダ８のアーム受部８２Ｂに当接し、バネ８４の付勢に抗してスライダ８を押圧した後、復元して端子収容部に係止する。係止アーム４１と当接するスライダ８の端面には、係止アーム４１の復元方向に係止アーム４１を案内するテーパ８２２が設けられている。【選択図】図４
2012022990.tif 000002
【特許請求の範囲】
【請求項１】
イニシエータがシャントに備えた係止アームを、ハウジングに付勢手段を介して組み付けられたスライダに当接させ、前記付勢手段の付勢に抗して前記スライダを押圧した後、前記係止アームを復元させて前記スライダへの押圧を解き、前記ハウジングに係止させるコネクタであって、
前記スライダには、前記係止アームの復元方向に前記係止アームを案内するテーパが設けられていることを特徴とするコネクタ。
【請求項２】
イニシエータがシャントに備えた係止アームを、ハウジングに付勢手段を介して組み付けられたスライダに当接させ、前記付勢手段の付勢に抗して前記スライダを押圧した後、前記係止アームを復元させて前記スライダへの押圧を解き、前記ハウジングに係止させるコネクタであって、
前記スライダには、前記スライダに当接した前記係止アームの過大変位を規制する変位規制部が設けられていることを特徴とするコネクタ。
【請求項３】
イニシエータがシャントに備えた係止アームを、ハウジングに付勢手段を介して組み付けられたスライダに当接させ、前記付勢手段の付勢に抗して前記スライダを押圧した後、前記係止アームを復元させて前記スライダへの押圧を解き、前記ハウジングに係止させるコネクタであって、
前記イニシエータには、前記スライダに当接した前記係止アームの過大変位を規制する変位規制部が設けられていることを特徴とするコネクタ。
【請求項４】
イニシエータがシャントに備えた係止アームを、ハウジングに付勢手段を介して組み付けられたスライダに当接させ、前記付勢手段の付勢に抗して前記スライダを押圧した後、前記係止アームを復元させて前記スライダへの押圧を解き、前記ハウジングに係止させるコネクタであって、
前記イニシエータは、前記スライダに当接した前記係止アームの過大変位を規制する変位規制部を前記シャントを収容した本体に備え、
前記変位規制部は、前記シャントが備える係止片を係止するために前記本体の内周壁に備えられた係止凹部よりも、前記本体の開口端側に位置する前記内周壁から構成されていることを特徴とするコネクタ。
【発明の詳細な説明】
【技術分野】
【０００１】
本発明は、ハウジングに付勢手段を介して組み付けられたスライダを、イニシエータがシャントに備える係止アームで押圧するコネクタに関する。
【背景技術】
【０００２】
この種のコネクタは、下記の特許文献１，２に開示されている。特許文献１，２に開示されたコネクタでは、雌ハウジングに圧縮コイルばねを介してスライダが組み付けられ、雄ハウジングにロックアームが設けられている。両コネクタの嵌合途中では、雌ハウジングの張出部に乗り上げたロックアームがスライダに係合し、スライダが圧縮コイルばねを圧縮する。両コネクタが完全嵌合すると、張出部を通過したロックアームとスライダとの係合が解け、圧縮コイルばねの圧縮も解かれる。
【先行技術文献】
【特許文献】
【０００３】
【特許文献１】特開２００２−２４６１１０号公報
【特許文献２】特開２００２−３２４６２５号公報
【発明の概要】
【発明が解決しようとする課題】
【０００４】
上記従来のコネクタでは、スライダに当接した係止アームが過大に変位して変形し、正規位置で係合できなくなることがあった。このため、係止アームによる係合が解けて、イニシエータからハウジングが脱落し易くなる虞があった。
【０００５】
本発明は斯かる課題に鑑みてなされたもので、ハウジングに付勢手段を介して組み付けられたスライダを押圧する係止アームの変位を抑えることのできるコネクタを提供することを目的とする。
【課題を解決するための手段】
【０００６】
このような目的を達成するために、本発明のコネクタは、イニシエータがシャントに備えた係止アームを、ハウジングに付勢手段を介して組み付けられたスライダに当接させ、前記付勢手段の付勢に抗して前記スライダを押圧した後、前記係止アームを復元させて前記スライダへの押圧を解き、前記ハウジングに係止させるコネクタであって、前記スライダには、前記係止アームの復元方向に前記係止アームを案内するテーパが設けられていることを特徴とする。
また、本発明のコネクタは、イニシエータがシャントに備えた係止アームを、ハウジングに付勢手段を介して組み付けられたスライダに当接させ、前記付勢手段の付勢に抗して前記スライダを押圧した後、前記係止アームを復元させて前記スライダへの押圧を解き、前記ハウジングに係止させるコネクタであって、前記スライダには、前記スライダに当接した前記係止アームの過大変位を規制する変位規制部が設けられていることを特徴とする。
また、本発明のコネクタは、イニシエータがシャントに備えた係止アームを、ハウジングに付勢手段を介して組み付けられたスライダに当接させ、前記付勢手段の付勢に抗して前記スライダを押圧した後、前記係止アームを復元させて前記スライダへの押圧を解き、前記ハウジングに係止させるコネクタであって、前記イニシエータには、前記スライダに当接した前記係止アームの過大変位を規制する変位規制部が設けられていることを特徴とする。
また、本発明のコネクタは、イニシエータがシャントに備えた係止アームを、ハウジングに付勢手段を介して組み付けられたスライダに当接させ、前記付勢手段の付勢に抗して前記スライダを押圧した後、前記係止アームを復元させて前記スライダへの押圧を解き、前記ハウジングに係止させるコネクタであって、前記イニシエータは、前記スライダに当接した前記係止アームの過大変位を規制する変位規制部を前記シャントを収容した本体に備え、前記変位規制部は、前記シャントが備える係止片を係止するために前記本体の内周壁に備えられた係止凹部よりも、前記本体の開口端側に位置する前記内周壁から構成されていることを特徴とする。
【発明の効果】
【０００７】
本発明によれば、係止アームの過大変位を規制して係止アームの変形を抑え、係止アームが正規位置で係合できなくなるのを防止することが出来る。
【図面の簡単な説明】
【０００８】
【図１】本発明の第１の実施形態のコネクタを上方から見た斜視図であり、イニシエータに対するハウジングの組付前を示している。
【図２】コネクタを上方から見た分解斜視図である。
【図３】ハウジングが備えるスライダを示す図であり、（ａ）は後方から見た斜視図，（ｂ）は背面図，（ｃ）は（ｂ）のＢ−Ｂ矢視断面図，（ｄ）はのＡ−Ａ矢視断面図である。
【図４】イニシエータに対するハウジングの組付動作を示す第１の図であり、（ａ）は右側面図，（ｂ）は（ａ）のＣ−Ｃ矢視断面図である。
【図５】イニシエータに対するハウジングの組付動作を示す第２の図であり、（ａ）は右側面図，（ｂ）は（ａ）のＤ−Ｄ矢視断面図である。
【図６】イニシエータに対するハウジングの組付動作を示す第３の図であり、（ａ）は右側面図，（ｂ）は（ａ）のＥ−Ｅ矢視断面図である。
【図７】イニシエータに対するハウジングの組付動作を示す第４の図であり、（ａ）は右側面図，（ｂ）は（ａ）のＦ−Ｆ矢視断面図である。
【図８】本発明の第２の実施形態でハウジングが備えるスライダを示す図であり、（ａ）は後方から見た斜視図，（ｂ）は背面図，（ｃ）は（ｂ）のＧ−Ｇ矢視断面図，（ｄ）はのＨ−Ｈ矢視断面図である。
【図９】イニシエータに対するハウジングの組付動作を示す第１の図であり、（ａ）は右側面図，（ｂ）は（ａ）のＩ−Ｉ矢視断面図である。
【図１０】イニシエータに対するハウジングの組付動作を示す第２の図であり、（ａ）は右側面図，（ｂ）は（ａ）のＪ−Ｊ矢視断面図である。
【図１１】イニシエータに対するハウジングの組付動作を示す第３の図であり、（ａ）は右側面図，（ｂ）は（ａ）のＫ−Ｋ矢視断面図である。
【図１２】イニシエータに対するハウジングの組付動作を示す第４の図であり、（ａ）は右側面図，（ｂ）は（ａ）のＬ−Ｌ矢視断面図である。
【図１３】本発明の第３の実施形態のコネクタを示す図であり、（ａ）は右側面図，（ｂ）は（ａ）のＭ−Ｍ矢視断面図である。
【図１４】本発明の第３の実施形態でのイニシエータに対するハウジングの組付動作を示す第１の図であり、（ａ）は右側面図，（ｂ）は（ａ）のＮ−Ｎ矢視断面図である。
【図１５】イニシエータに対するハウジングの組付動作を示す第２の図であり、（ａ）は右側面図，（ｂ）は（ａ）のＯ−Ｏ矢視断面図である。
【図１６】イニシエータに対するハウジングの組付動作を示す第３の図であり、（ａ）は右側面図，（ｂ）は（ａ）のＰ−Ｐ矢視断面図である。
【発明を実施するための形態】
【０００９】
以下、図面を参照して、本発明の第１の実施形態を説明する。
図１，２は、本実施形態のコネクタを示す図であり、図１は上方から見た斜視図，図２は分解斜視図である。図３は、ハウジング２が備えるスライダ８を示す図である。なお、以下の説明で用いる上下，前後，左右の各方向は説明に用いる各図に示している。この上下，前後，左右は説明のために記載したもので、実際の配置と異なってよいことはもちろんである。
【００１０】
図１，２に示すように、コネクタは、イニシエータ１とハウジング２とを備えている。イニシエータ１は、有底円筒状を呈した本体３と、円柱状を呈して本体３に収容されたシャント４とを備えている。図２に示すように、本体３は、シャント４を収容する収容室３０を前面に開口させている。収容室３０の底面からは、一対のピン３１が前方に向けて左右に並んで延びている。収容室３０の左右の内側面には、それぞれ係止凹部３２が設けられている。また、収容室３０の前端開口部の上縁部及び下縁部には、それぞれ嵌合凹部３３が設けられている。
【００１１】
シャント４は、前端面から後端部にかけてシャント４を左右に貫通した収容凹部４０を備えている。収容凹部４０の底面の左右方向の中央部には、シャント４の後端面まで貫通した挿通孔４０Ａ（図４参照）が設けられている。挿通孔４０Ａの左右の両側に位置する収容凹部４０の底面からは、それぞれ係止アーム４１が前方に向けて延びている。収容凹部４０の上側及び下側に位置したシャント４の左右の側面からは、それぞれ一対の係止片４２が延びている。各係止片４２は、シャント４の外側に向けて屈曲して前方に延びている。また、シャント４の上下の側面には、それぞれ嵌合凸部４３が設けられている。
【００１２】
図１に示すように、シャント４は、収容室３０内に収容されて、嵌合凸部４３が嵌合凹部３３に嵌め合わされている。図４に示すように、収容室３０内に収容されたシャント４は、収容室３０の底面に後端面を当接させると共に、係止凹部３２に係止片４２が係止されている。本体３のピン３１は、挿通孔４０Ａを挿通して収容凹部４０内を前端側に延びている。シャント４の収容凹部４０には、図２に示す短絡金具７が嵌め込まれている。短絡金具７は、係止片７１が収容凹部４０内に係止され、収容凹部４０内に延びた両ピン３１にそれぞれ接触片７２を弾接させている。
【００１３】
ハウジング２は、端子Ｔが装着されるハウジング本体５と、ハウジング本体５を前側から覆うカバー６とを備えている。図２に示すように、ハウジング本体５は、前後方向に延びた四角ブロック状の端子収容部５１と、端子収容部５１の前端から左右の側方に延びた一対のフランジ部５２と、端子収容部５１及びフランジ部５２から下方に延びた電線収容部５３とを備えている。端子収容部５１は、端子Ｔを収容する端子収容室５１ａを左右に並べて前面に開口させている。端子収容部５１の後端面には、端子収容室５１ａに連通した一対のピン挿通孔５１ｂ（図４参照）が開口している。端子収容部５１の後端部の左右の側面には、それぞれ係止凸部５１１が設けられている。各係止凸部５１１の前側に位置する端子収容部５１の左右の側面には、それぞれ係止孔５１２が設けられている。各フランジ部５２は、平板状を呈して上下方向に延びており、上端部には支持部５２１が設けられている。電線収容部５３は、端子収容部５１及びフランジ部５２の下縁部から下方に延びており、左右の側面に係止凸部５３１を備えている。電線収容部５３は、端子Ｔの電線Ｄが挿通されたフェライト５４を収容する電線収容室５３Ａが設けられている。
【００１４】
端子収容部５１には、スライダ８が嵌め合わされる。図３に示すように、スライダ８は、平板状を呈した上板８１と、上板８１の左右の両側部に設けられた受部８２とを備えている。受部８２は、上板８１の前端部から上板８１の左右の縁部に沿って後方に向けて延びている。受部８２は、隔壁８２ａを挟んだ前側をバネ受部８２Ａ，後側をアーム受部８２Ｂとしており、隔壁８２ａの前面には凸部８２１が突設されている。アーム受部８２Ｂは、上板８１側を開放させたコの字の断面形状を有して前方に延びている。バネ受部８２Ａには、バネ８４が収納される。バネ８４は、凸部８２１に一端部を外環されて、他端部をバネ受部８２Ａから前方に突出させている。
【００１５】
上板８１の左側に配置された受部８２は、アーム受部８２Ｂの前端開口部を構成する左壁の前端部の内面にテーパ部８２２を備えている。テーパ部８２２は、左壁を前端にかけて徐々に肉薄にして構成されている。上板８１の右側に配置された受部８２は、アーム受部８２Ｂの前端開口部を構成する右壁の前端部の内面にテーパ部８２２を備えている。テーパ部８２２は、右壁を前端にかけて徐々に肉薄にして構成されている。
【００１６】
図１に示すように、スライダ８は、上板８１及び左右の受部８２で端子収容部５１の上面及び左右の側面を覆い、バネ受部８２Ａから突出させたバネ８４の他端部をフランジ部５２の後面に当接させて、前後方向にスライド自在にハウジング本体５に嵌め合わされる。
【００１７】
カバー６は、上端部から左右に延びた一対の軸部６１をハウジング本体５の支持部５２１に支持され、下端部に設けられた左右一対の係止部６２をハウジング本体５の係止凸部５３１に係止されて、ハウジング本体５に取り付けられている。ハウジング本体５に取り付けられたカバー６は、端子Ｔを前側から端子収容室５１ａ内に押え付け、フェライト５４を前側から電線収容室５３Ａの内面に押え付けて、端子Ｔ及びフェライト５４をハウジング本体５とで挟み込んでいる。
【００１８】
次に、ハウジング２をイニシエータ１に装着する際のコネクタの組付動作を説明する。図４〜図７は、イニシエータ１に対するハウジング２の組付動作を順に示す図であり、それぞれの図における（ａ）は右側面図，（ｂ）は（ａ）のＣ−Ｃ，Ｄ−Ｄ，Ｅ−Ｅ，Ｆ−Ｆ矢視断面図である。
【００１９】
ハウジング２をイニシエータ１に装着する際には、まず、図４に示すように、ハウジング２を後方に移動させて、ハウジング本体５の端子収容部５１を収容凹部４０内に挿入する。これにより、端子収容部５１のピン挿通孔５１ｂを通して本体３のピン３１が端子収容室５１ａ内に進入し、シャント４の係止アーム４１が備える係止凸部４１１が、端子収容部５１の係止凸部５１１が備える案内面５１１ａに当接する。その後、図５に示すように、係止アーム４１は、案内面５１１ａから係止凸部５１１に係止凸部４１１が乗り上げて左右の外側に変位する。そして、端子収容部５１が収容凹部４０内に挿入されるのに従って、端子収容部５１の前端側に係止アーム４１が先端を移動させ、スライダ８の受部８２が備えるテーパ部８２２に先端を当接させる。
【００２０】
その後、係止アーム４１は、図６に示すように、端子収容部５１が収容凹部４０内に挿入されるのに従って、テーパ部８２２を前方に押圧してバネ８４を圧縮する。ハウジング２とイニシエータ１とが完全嵌合すると、図７に示すように、係止凸部４１１が係止凸部５１１から係止孔５１２に落ち込み、係止アーム４１が復元して係止アーム４１の先端がテーパ部８２２からアーム受部８２Ｂ内に進入する。これに伴い、係止アーム４１によるテーパ部８２２の押圧が解けて、バネ８４の圧縮も解かれる。係止アーム４１の係止凸部４１１と端子収容部５１の係止孔５１２とが係合することで、シャント４に対するハウジング本体５の移動が規制され、イニシエータ１からのハウジング２の脱落が防止される。
【００２１】
係止アーム４１によるテーパ部８２２の押圧を解かれたスライダ８は、バネ８４の付勢力で後方に移動し、係止孔５１２に係合した係止アーム４１の先端に隔壁８２ａの後面を当接させて、後方への移動を規制される。ハウジング２とイニシエータ１との完全嵌合前にハウジング２を後方に移動させる力が解かれると、バネ８４の付勢力でスライダ８が後方へ移動して、係止アーム４１がテーパ部８２２で後方に押圧され、ハウジング２とイニシエータ１とが離間する。
【００２２】
本実施形態によれば、ハウジング２に乗り上げた係止アーム４１をスライダ８に設けられたテーパ８２２が係止アーム４１の復元方向に案内することで、係止凹部３２に係止アーム４１の先端が進入する等して係止アーム４１が左右の外側に開き、過大変位が生じるのを防止することができる。このため、係止アーム４１が変形して係止孔５１２に正規位置で係合できなくなるのを防止することが出来る。この結果、係止凸部４１１と係止孔５１２との係合が解けて、イニシエータ１からハウジング２が脱落するのを確実に防止できる。
【００２３】
次に、本発明の第２の実施形態を説明する。図８は、本実施形態でハウジング２が備えるスライダ８を示す図である。図９〜図１２は、イニシエータ１に対するハウジング２の組付動作を順に示す図であり、それぞれの図における（ａ）は右側面図，（ｂ）は（ａ）のＩ−Ｉ，Ｊ−Ｊ，Ｋ−Ｋ，Ｌ−Ｌ矢視断面図である。
【００２４】
本実施形態のコネクタは、スライダ８を除いて第１の実施形態のコネクタと同様の構成を有している。本実施形態のスライダ８は、左右の受部８２がテーパ部８２２の代わりに変位規制片８２３を備えている他は、第１の実施形態のスライダ８と同様の構成を有している。変位規制片８２３は、アーム受部８２Ｂの前端開口部を構成する左壁又は右壁の後端面８２Ｂ１から、前方に向けて平板状に延びている。
【００２５】
本実施形態のコネクタでハウジング２をイニシエータ１に装着する際の組付動作を説明する。
【００２６】
ハウジング２をイニシエータ１に装着する際には、第１の実施形態の場合と同様にハウジング本体５の端子収容部５１を収容凹部４０内に挿入し、本体３のピン３１を端子収容室５１ａ内に進入させる（図９参照）。これに伴い、係止アーム４１は、図１０に示すように、端子収容部５１の案内面５１１ａから係止凸部５１１に係止凸部４１１を乗り上げさせ、左右の外側に変位する。外側に変位した係止アーム４１は、外側を向いた左側面又は右側面を変位規制片８２３に当接させ、左右の外側への変位を規制される。その後、係止アーム４１は、図１１に示すように、受部８２の左壁又は右壁の後端面８２Ｂ１を先端で押圧してバネ８４を圧縮する。ハウジング２とイニシエータ１とが完全嵌合すると、図１２に示すように、係止凸部５１１から係止孔５１２に係止凸部４１１が落ち込んで係止アーム４１が復元し、係止凸部４１１と係止孔５１２とが係合する。これに伴い、係止アーム４１の先端が、受部８２の左壁又は右壁の後端面８２Ｂ１からアーム受部８２Ｂ内に進入し、バネ８４の圧縮が解かれる。
【００２７】
本実施形態によれば、係止凸部５１１に乗り上げてスライダ８の後端面８２Ｂ１に当接した係止アーム４１がスライダ８に設けられた変位規制片８２３と当接することで、係止凹部３２に係止アーム４１の先端が進入する等して係止アーム４１が左右の外側に開き、過大変位が生じるのを防止することができる。このため、第１の実施形態と同様の作用効果を得ることができる。
【００２８】
次に、本発明の第３の実施形態を説明する。図１３は、本実施形態のコネクタを示す図であり、（ａ）は右側面図，（ｂ）は（ａ）のＭ−Ｍ矢視断面図である。図１４〜図１６は、本実施形態でのイニシエータ１に対するハウジング２の組付動作を順に示す図であり、それぞれの図における（ａ）は右側面図，（ｂ）は（ａ）のＮ−Ｎ，Ｏ−Ｏ，Ｐ−Ｐ矢視断面図である。
【００２９】
図１３に示すように、本実施形態のコネクタは、係止凹部３２よりも前側に位置した収容室３０の内面が、シャント４の係止アーム４１が左右の外側に変位した際に、係止アーム４１の先端が当接する変位規制部３４となっている。コネクタの他の構成は、第１の実施形態のコネクタと同様の構成となっている。
【００３０】
本実施形態のコネクタでハウジング２をイニシエータ１に装着する際の組付動作を説明する。
【００３１】
ハウジング２をイニシエータ１に装着する際には、第１の実施形態の場合と同様にハウジング本体５の端子収容部５１を収容凹部４０内に挿入し、本体３のピン３１を端子収容室５１ａ内に進入させる（図１４参照）。これに伴い、係止アーム４１は、図１５に示すように、端子収容部５１の案内面５１１ａから係止凸部５１１に係止凸部４１１を乗り上げさせ、左右の外側に変位する。外側に変位した係止アーム４１は、変位規制部３４に先端を当接させて左右の外側への変位を規制される。その後、係止アーム４１は、受部８２の左壁又は右壁の後端面８２Ｂ１を先端で押圧してバネ８４を圧縮する。ハウジング２がイニシエータ１に完全に装着されると、図１６に示すように、係止凸部５１１から係止孔５１２に係止凸部４１１が落ち込んで係止アーム４１が復元し、係止凸部４１１と係止孔５１２とが係合する。これに伴い、係止アーム４１の先端が、受部８２の左壁又は右壁の後端面８２Ｂ１からアーム受部８２Ｂ内に進入し、バネ８４の圧縮が解かれる。
【００３２】
本実施形態によれば、係止凸部５１１に乗り上げてスライダ８の後端面８２Ｂ１に当接した係止アーム４１がイニシエータ１に設けられた変位規制部３４と当接することで、係止凹部３２に係止アーム４１の先端が進入する等して係止アーム４１が左右の外側に開き、過大変位が生じるのを防止することができる。このため、第１の実施形態と同様の作用効果を得ることができる。
【００３３】
また、本実施形態によれば、係止凹部３２よりも前側に位置する内周壁から変位規制部３４が構成されていることから、係止凸部５１１に乗り上げてスライダ８の後端面８２Ｂ１に当接した係止アーム４１が係止凹部３２よりも前側に位置する収容室３０の内周壁に当接するように係止アーム４１の長さを定めることで、係止アーム４１の過大変位を規制することができる。
【００３４】
なお、上記各実施形態では、ハウジング２にバネ８４を介してスライダ８が組み付けられている場合について説明したが、バネとは異なる付勢手段を用いることもできる。
【００３５】
また、第２の実施形態ではスライダ８が平板状の変位規制片８２３を備えている場合について説明したが、ハウジング２の端子収容部５１に乗り上げた係止アーム４１の過大変位を規制できるのであれば、変位規制部の構成は任意である。例えば、受部８２の後端面から受部８２と同様の形状で後方に延びていてもよい。
【００３６】
また、第３の実施形態では係止凹部３２よりも前側に位置した収容室３０の内面に変位規制部３４を備えている場合について説明したが、ハウジング２に乗り上げた係止アーム４１の過大変位を規制できるのであれば、イニシエータ１が備える変位規制部の構成は任意である。
【００３７】
また、シャント４に対する本体３の固定方法は任意であり、嵌合凹部３３及び嵌合凸部４３を備えない構成としてもよい。また、シャント４と本体３とが別体に構成されておらずに一体化されていてもよい。また、シャント４が備える係止アーム４１数も左右１つずつには限定されない。
【００３８】
また、スライダ８の構成も任意であり、上板８１だけでなく下板も備えていてもよい。また、アーム受部８２Ｂが左右の外側の左壁又は右壁のみを備える構成としてもよい。また、バネ受部８２Ａでバネ８４を受ける方法も任意である。
【符号の説明】
【００３９】
１            イニシエータ
２            ハウジング
３            本体
３０          収容室
３１          ピン
３２          係止凹部
３３          嵌合凹部
４            シャント
４０          収容凹部
４０Ａ        挿通孔
４１          係止アーム
４２          係止片
４３          嵌合凸部
５            ハウジング本体
５１          端子収容部
５１１        係止凸部
５１２        係止孔
５１ａ        端子収容室
５１ｂ        ピン挿通孔
５２          フランジ部
５３          電線収容部
５３１        係止凸部
５３Ａ        電線収容室
５４          フェライト
６            カバー
６１          軸部
６２          係止部
７            短絡金具
７１          係止片
７２          接触片
８            スライダ
８１          上板
８２          受部
８２１        凸部
８２２        テーパ部
８２ａ        隔壁
８２Ａ        バネ受部
８２Ｂ        アーム受部
８４          バネ
Ｔ            端子
Ｈ            電線
【図１】
2012022990.tif 000003
【図２】
2012022990.tif 000004
【図３】
2012022990.tif 000005
【図４】
2012022990.tif 000006
【図５】
2012022990.tif 000007
【図６】
2012022990.tif 000008
【図７】
2012022990.tif 000009
【図８】
2012022990.tif 000010
【図９】
2012022990.tif 000011
【図１０】
2012022990.tif 000012
【図１１】
2012022990.tif 000013
【図１２】
2012022990.tif 000014
【図１３】
2012022990.tif 000015
【図１４】
2012022990.tif 000016
【図１５】
2012022990.tif 000017
【図１６】
2012022990.tif 000018